(57)【特許請求の範囲】
【請求項１】
下記の（Ａ）及び（Ｂ）を含有することを特徴とするドライクリーニグ用洗浄基剤組成物。
（Ａ）炭素数８〜１８の直鎖第一級アルコールにエチレンオキサイドを付加したポリオキシエチレンアルキルエーテル、または２位にのみ分岐鎖を有する第一級アルコールであって、炭素数８〜１６の２−メチル分岐第一級アルコールにエチレンオキサイドを付加したポリオキシエチレンアルキルエーテル又はそれらの混合物。
（Ｂ）炭素数８〜１６の第二級アルコールにエチレンオキサイドを付加したポリオキシエチレンアルキルエーテル、または炭素数９〜１６の多分岐鎖を有する第一級アルコールにエチレンオキサイドを付加したポリオキシエチレンアルキルエーテル又はそれらの混合物。
【請求項２】
上記（Ａ）成分の直鎖第一級アルコールのエチレンオキサイド付加物におけるエチレンオキサイドの平均付加モル数が１〜１４の範囲であり、２−メチル分岐第一級アルコールのエチレンオキサイド付加物におけるエチレンオキサイドの平均付加モル数が１〜１４の範囲であり、
上記（Ｂ）成分の第二級アルコールのエチレンオキサイド付加物におけるエチレンオキサイドの平均付加モル数が１〜１４の範囲であり、多分岐鎖を有する第一級アルコールのエチレンオキサイド付加物におけるエチレンオキサイドの平均付加モル数が１〜１４の範囲である請求項１に記載のドライクリーニグ用洗浄基剤組成物。
【請求項３】
上記（Ａ）成分と（Ｂ）成分の混合比が重量比で（Ａ）：（Ｂ）＝９０：１０〜１０：９０である請求項１または２に記載のドライクリーニグ用洗浄基剤組成物。
【発明の詳細な説明】
【０００１】
【発明の属する技術分野】
本発明は、衣類をはじめとする繊維製品類のドライクリーニング用洗浄剤に用いる洗浄基剤組成物に関する。
【０００２】
【従来の技術】
ドライクリーニング用洗浄剤に用いる洗浄基剤組成物に関して求められる性能の一つとして、ドライクリーニングを行う際の洗浄溶剤に一定量以上の水を安定に可溶化できる能力（以降、抱水能として記載）が要求されている。従来はこの能力に優れた基剤であった長鎖アルキルフェノールにエチレンオキシドを付加したアルキルフェノールエトキシレートを洗浄基剤として用いていたが、アルキルフェノールエトキシレートは近年環境ホルモンに影響を与える可能性のある物質として問題視されており、人体への影響を鑑みると使用を差し控えなければならない現状にある。
しかし、一般のアルコールエトキシレートでは十分な抱水能を発現できないといった現状もある。
【０００３】
【発明が解決しようとする課題】
本発明は、アルキルフェノールエトキシレートを使用しなくとも良好な抱水能を示すドライクリーニング用洗浄剤を作るにあたり、十分な抱水能を発現することが可能となるドライクリーニング用洗浄基剤組成物を提供することを目的とする。
【０００４】
【課題を解決するための手段】
本発明者らの検討によれば、特定のアルコールエトキシレート系ノニオン界面活性剤を組み合わせることにより、十分な抱水能を発現することが可能となることを見いだし、本発明を完成するに至った。
すなわち、本発明のドライクリーニング用洗浄剤組成物は、以下の（Ａ）および（Ｂ）成分を含有することを特徴とする。
（Ａ）炭素数８〜１８の直鎖第一級アルコールにエチレンオキサイドを付加したポリオキシエチレンアルキルエーテル、または炭素数８〜１６の２−メチル分岐第一級アルコールにエチレンオキサイドを付加したポリオキシエチレンアルキルエーテル又はそれらの混合物。
（Ｂ）炭素数８〜１６の第二級アルコールにエチレンオキサイドを付加したポリオキシエチレンアルキルエーテル、または炭素数９〜１６の多分岐鎖を有する第一級アルコールにエチレンオキサイドを付加したポリオキシエチレンアルキルエーテル又はそれらの混合物。
【０００５】
【発明の実施の形態】
本発明では（Ａ）成分のノニオン界面活性剤と（Ｂ）成分のノニオン界面活性剤とが組み合わされて用いられる。
（Ａ）成分のノニオン界面活性剤としては、次の（Ａ−１）、（Ａ−２）のいずれか、または両者の混合物が用いられる。
（Ａ−１）：炭素数８〜１８の直鎖第一級アルコールにエチレンオキサイドを付加したポリオキシエチレンアルキルエーテル（直鎖第一級アルコールのエチレンオキサイド付加物）。用いられるアルコールの具体例としてはヤシ油由来のアルコールやパーム核油由来のアルコールから得られるものなどが挙げられる。
エチレンオキサイドの平均付加モル数としては１〜１４の範囲が好適であり、好ましくは１〜１２の範囲である。なお、平均付加モル数が７〜１４の範囲のものを選択する際には、（Ｂ）成分としては平均付加モル数が１〜６の範囲のものを選択するのが好ましい。
【０００６】
（Ａ−２）：炭素数８〜１６の２−メチル分岐第一級アルコールにエチレンオキサイドを付加したポリオキシエチレンアルキルエーテル（２−メチル分岐第一級アルコールのアルキレンオキサイド付加物）。用いられるアルコールの具体例としてはドバノール、オキソコール、ダイヤドール等の商品名で知られている合成アルコールが挙げられる。
エチレンオキサイドの平均付加モル数としては１〜１４の範囲が好適であり、好ましくは１〜１２の範囲である。なお、平均付加モル数が７〜１４の範囲のものを選択する際には、（Ｂ）成分としては平均付加モル数が１〜６の範囲のものを選択するのが好ましい。
【０００７】
（Ｂ）成分のノニオン界面活性剤としては、次の（Ｂ−１）、（Ｂ−２）のいずれか、または両者の混合物が用いられる。
（Ｂ−１）：炭素数８〜１６の第二級アルコールにエチレンオキサイドを付加したポリオキシエチレンアルキルエーテル（第二級アルコールのエチレンオキサイド付加物）。用いられるアルコールの具体例としてはソフタノール等の商品名で知られている合成アルコールが挙げられる。
エチレンオキサイドの平均付加モル数としては１〜１４の範囲が好適であり、好ましくは１〜１２の範囲である。なお、平均付加モル数が７〜１４の範囲のものを選択する際には、（Ａ）成分としては平均付加モル数が１〜６の範囲のものを選択するのが好ましい。
【０００８】
（Ｂ−２）：炭素数９〜１６の多分岐鎖を有する第一級アルコールにエチレンオキサイドを付加したポリオキシエチレンアルキルエーテル（多分岐鎖を有する第一級アルコールのエチレンオキサイド付加物）。用いられるアルコールの具体例としてはイソトリデシルアルコール等に代表されるブテンの２量体もしくは３量体またはプロピレンの３〜５量体等から得られる合成アルコールが挙げられる。
エチレンオキサイドの平均付加モル数としては１〜１４の範囲が好適であり、好ましくは１〜１２の範囲である。なお、平均付加モル数が７〜１４の範囲のものを選択する際には、（Ａ）成分としては平均付加モル数が１〜６の範囲のものを選択するのが好ましい。
【０００９】
（Ａ）成分と（Ｂ）成分の混合比は重量比で（Ａ）：（Ｂ）＝９０：１０〜１０：９０の範囲で用いられることが好ましく、さらに好ましくは（Ａ）：（Ｂ）＝８０：２０〜２０：８０の範囲である。
本発明のドライクリーニング用洗浄基剤組成物は目的とするドライクリーニング用洗浄剤の目的に応じ、他のアニオン活性剤やカチオン活性剤と組合せた後、溶剤などで希釈して洗浄剤としてもよく、また単に溶剤で希釈して洗浄剤として使用することも可能である。
【００１０】
【発明の効果】
本発明によれば、ドライクリーニング用洗浄剤に用いられる洗浄基剤組成物において、アルキルフェノールエトキシレートを使用することがなくとも、特定の他のノニオン界面活性剤を併用することにより、優れた抱水能を得ることができる。
【００１１】
【実施例】
〔抱水能の試験方法〕
１００ｍＬビーカーにドライクリーニング用石油系溶剤４０ｍＬを入れ、これに洗浄剤５ｇを添加する。これをマグネチックスターラーで攪拌を行いながら水を少量ずつ添加する。４分間攪拌を行った後の外観を目視にて判定し、液の明らかな濁りや分離を生じた点を終点とする。判定は以下の数１の算出式に基づき、以下の基準にて抱水能を判定した。
尚、ドライクリーニング用石油系溶剤としては、ナフテゾールＬ（日本石油製）を用いた。
【００１２】
【数１】
0004450880.tif 000002
【００１３】
実施例１〜７、比較例１〜４
後記の表１、表２に示すようにドライクリーニング用洗浄基剤組成物を調製し、この洗浄基剤組成物を７０重量部、ナフテゾールＬ：ベンジルアルコール＝１：２重量比で混合した溶剤を３０重量部の割合で混合し、洗浄剤とし、抱水能を評価した。
表中の記載の詳細は以下の通りである。
【００１４】
ノニオンａ１：ヤシ油由来のアルコール（直鎖第一級、炭素数８〜１８）にエチレンオキサイドを平均３モル付加させたもの
ノニオンａ２：ヤシ油由来のアルコール（直鎖第一級、炭素数８〜１８）にエチレンオキサイドを平均５モル付加させたもの
ノニオンａ３：２−メチル分岐第一級アルコールと直鎖第一級アルコールの混合物（直鎖率８０％、炭素数１２〜１３）にエチレンオキサイドを平均３モル付加させたもの
ノニオンａ４：２−メチル分岐第一級アルコールと直鎖第一級アルコールの混合物（直鎖率８０％、炭素数１２〜１３）にエチレンオキサイドを平均５モル付加させたもの
ノニオンａ５：２−メチル分岐第一級アルコールと直鎖第一級アルコールの混合物（直鎖率８０％、炭素数１２〜１３）にエチレンオキサイドを平均２モル付加させたもの
ノニオンａ６：２−メチル分岐第一級アルコールと直鎖第一級アルコールの混合物（直鎖率６０％、炭素数１２〜１３）にエチレンオキサイドを平均７モル付加させたもの
ノニオンａ７：２−メチル分岐第一級アルコールにエチレンオキサイドを平均３モル付加させたもの
【００１５】
ノニオンｂ１：直鎖第二級アルコール（炭素数１２〜１４）にエチレンオキサイドを平均３モル付加させたもの
ノニオンｂ２：直鎖第二級アルコール（炭素数１２〜１４）にエチレンオキサイドを平均５モル付加させたもの
ノニオンｂ３：直鎖第二級アルコール（炭素数１２〜１４）にエチレンオキサイドを平均９モル付加させたもの
ノニオンｂ４：直鎖第二級アルコール（炭素数１２〜１４）にエチレンオキサイドを平均１２モル付加させたもの
ノニオンｂ５：多分岐鎖第一級アルコール（炭素数１３）にエチレンオキサイドを平均３モル付加させたもの
ノニオンｂ６：多分岐鎖第一級アルコール（炭素数１３）にエチレンオキサイドを平均５モル付加させたもの
【００１６】
【表１】
0004450880.tif 000003
【００１７】
【表２】
0004450880.tif 000004
【００１８】
実施例８〜１８
後記の表３および表４に示すようにドライクリーニング用洗浄基剤組成物を調製し、この洗浄基剤組成物を７０重量部、ナフテゾールＬ：ベンジルアルコール＝１：１重量比で混合した溶剤を３０重量部の割合で混合し、洗浄剤とした。
【００１９】
【表３】
0004450880.tif 000005
【００２０】
【表４】
0004450880.tif 000006
【００２１】
実施例１９〜２２
表５に示すようにドライクリーニング用洗浄基剤組成物を調製し、この洗浄基剤組成物を用いて洗浄剤を調製し、抱水能を評価した。
【００２２】
【表５】
0004450880.tif 000007